(57)【要約】【課題】電動装置を収納するキャビネットが被水しても、電動装置を外部と接続するためのコネクタ等が被水することを抑制することができるトイレ装置を提供することを目的とする。【解決手段】フレームと、前記フレームの上に設けられ、前記フレームから少なくとも一部が着脱可能な天板と、を有するキャビネットと、前記キャビネットと並ぶ便器と、前記キャビネットの内部に設けられた電動装置と、前記キャビネットの内部の上方に設けられ、前記電動装置を外部と電気的に接続するためのコネクタと、前記キャビネットの内部に設けられ、前記コネクタを上方から覆う膜部と、を備えたことを特徴とするトイレ装置が提供される。【選択図】図３
2018155034.tif 000002
【特許請求の範囲】
【請求項１】
フレームと、
前記フレームの上に設けられ、前記フレームから少なくとも一部が着脱可能な天板と、
を有するキャビネットと、
前記キャビネットと並ぶ便器と、
前記キャビネットの内部に設けられた電動装置と、
前記キャビネットの内部の上方に設けられ、前記電動装置を外部と電気的に接続するためのコネクタと、
前記キャビネットの内部に設けられ、前記コネクタを上方から覆う膜部と、
を備えたことを特徴とするトイレ装置。
【請求項２】
前記キャビネット内の前側及び後側のいずれか一方に設けられ回路を有する基板部をさらに備え、
前記膜部は、前記前側及び後側のいずれか他方に向かって下り傾斜することを特徴とする請求項１記載のトイレ装置。
【請求項３】
前記キャビネットは、前記フレームの側方を覆う側板を有し、
前記膜部の側方部は、下方へ向かって延び、前記側板に沿うことを特徴とする請求項１または２に記載のトイレ装置。
【請求項４】
前記天板の後部に設けられ、前記天板と前記フレームとの間を塞ぐパッキンをさらに備えたことを特徴とする請求項１〜３のいずれか１つに記載のトイレ装置。
【請求項５】
前記天板は、前記天板の前部に設けられ、下方へ向かって屈曲した屈曲部を有することを特徴とする請求項１〜４のいずれか１つに記載のトイレ装置。
【発明の詳細な説明】
【技術分野】
【０００１】
本発明の態様は、一般的に、トイレ装置に関する。
【背景技術】
【０００２】
近年、排尿情報測定装置などの電動装置が設けられたトイレ装置が提案されている。この電動装置は、例えばトイレ装置の便器と並べて設けられたキャビネットの内部に収納される。また、電動装置は、外部の機器とケーブルなどの配線によって接続されることがある。
【先行技術文献】
【特許文献】
【０００３】
【特許文献１】特開２０１６−５６６５６号公報
【発明の概要】
【発明が解決しようとする課題】
【０００４】
上述のトイレ装置においては、外部からキャビネットに水が掛けられたり、キャビネットの上に水が溢されたりする場合も想定される。このとき、水がキャビネット内に侵入し、外部機器との接続のためのケーブルが接続されるコネクタなどに水が掛かることが懸念される。その結果、トイレ装置に不具合が生じるおそれがある。
【０００５】
本発明は、かかる課題の認識に基づいてなされたものであり、電動装置を収納するキャビネットが被水しても、電動装置を外部と接続するためのコネクタ等が被水することを抑制することができるトイレ装置を提供することを目的とする。
【課題を解決するための手段】
【０００６】
第１の発明は、フレームと、前記フレームの上に設けられ、前記フレームから少なくとも一部が着脱可能な天板と、を有するキャビネットと、前記キャビネットと並ぶ便器と、前記キャビネットの内部に設けられた電動装置と、前記キャビネットの内部の上方に設けられ、前記電動装置を外部と電気的に接続するためのコネクタと、前記キャビネットの内部に設けられ、前記コネクタを上方から覆う膜部と、を備えたことを特徴とするトイレ装置である。
【０００７】
このトイレ装置によれば、キャビネットの天板が着脱可能であり、コネクタがキャビネット内の上方に位置することにより、天板を取り外せば管理者はコネクタにアプローチすることができる。したがってメンテナンス性を向上させることができる。そして、コネクタを上方から覆う膜部によって、キャビネットが被水し、天板とフレームとの隙間等から水がキャビネット内に侵入しても、コネクタが被水することを抑制できる。
【０００８】
第２の発明は、第１の発明において、前記キャビネット内の前側及び後側のいずれか一方に設けられ回路を有する基板部をさらに備え、前記膜部は、前記前側及び後側のいずれか他方に向かって下り傾斜することを特徴とするトイレ装置である。
【０００９】
このトイレ装置によれば、キャビネット内に侵入した水は、膜部の上を基板部とは逆側に向かって流れるため、基板部の被水を抑制することができる。
【００１０】
第３の発明は、第１または第２の発明において、前記キャビネットは、前記フレームの側方を覆う側板を有し、前記膜部の側方部は、下方へ向かって延び、前記側板に沿うことを特徴とするトイレ装置である。
【００１１】
このトイレ装置によれば、キャビネットの上部からキャビネット内に侵入し膜部の上を流れた水は、膜部の側方部によって、キャビネットの側板の近傍まで導かれ、側板又はフレームを伝って下方へ流れる。したがって、水がキャビネット内の中央に向かって流れることを抑制できる。これにより、電動装置や基板部の被水を抑制することができる。
【００１２】
第４の発明は、第１〜第３のいずれか１つの発明において、前記天板の後部に設けられ、前記天板と前記フレームとの間を塞ぐパッキンをさらに備えたことを特徴とするトイレ装置である。
【００１３】
このトイレ装置によれば、天板の後部において、天板とフレームとの間の隙間からキャビネット内に水が浸入することを抑制できる。
【００１４】
第５の発明は、第１〜第４のいずれか１つの発明において、前記天板の前部に設けられ、下方へ向かって屈曲した屈曲部を有することを特徴とするトイレ装置である。
【００１５】
このトイレ装置によれば、天板の前部において、天板とフレームとの間の隙間からキャビネット内に水が浸入することを抑制できる。
【発明の効果】
【００１６】
本発明の態様によれば、電動装置を収納するキャビネットが被水しても、電動装置を外部と接続するためのコネクタ等が被水することを抑制することができるトイレ装置が提供される。
【図面の簡単な説明】
【００１７】
【図１】実施形態に係るトイレ装置が設置されたトイレルームを例示する斜視図である。
【図２】実施形態に係るトイレ装置の一部を分解して例示する斜視図である。
【図３】実施形態に係るトイレ装置のキャビネット内の一部を例示する斜視図である。
【図４】実施形態に係るトイレ装置の膜部を例示する斜視図である。
【図５】実施形態に係るトイレ装置の一部を例示する断面図である。
【図６】実施形態に係るトイレ装置の一部を例示する断面図である。
【図７】図７（ａ）は実施形態に係る天板の斜視図であり、図７（ｂ）は実施形態に係る天板の近傍を示すキャビネットの断面図である。
【図８】実施形態に係るトイレ装置を例示するブロック図である。
【図９】衛生洗浄装置を例示するブロック図である。
【図１０】排尿情報測定装置及び便器を例示するブロック図である。
【発明を実施するための形態】
【００１８】
以下、本発明の実施の形態について図面を参照しつつ説明する。なお、各図面中、同様の構成要素には同一の符号を付して詳細な説明は適宜省略する。
【００１９】
図１は、実施形態に係るトイレ装置が設置されたトイレルームを例示する斜視図である。  
図１に示すように、実施形態に係るトイレ装置１は、便器２とキャビネット１８とを有する。また、この例ではトイレ装置１は、衛生洗浄装置３をさらに有する。トイレ装置１は、例えば、使用者の排尿情報を測定する生体情報測定装置である。
【００２０】
便器２は、例えば床置き式の洋風大便器（洋式腰掛便器）である。便器２は、使用者の排泄物を受けるボウル２２を有する。
【００２１】
衛生洗浄装置３は、便器２の上に設けられ、便器２に対して着脱可能に設置されている。衛生洗浄装置３は、ケーシング４００と、便座２００と、便蓋２０１と、有する。便座２００及び便蓋２０１は、ケーシング４００に対して開閉自在に軸支されている。ケーシング４００は、便座２００に座った使用者の局部（例えば「おしり（肛門）」）に向けてノズルから洗浄水を吐出し、使用者の局部を洗浄する機能などを内蔵している。なお、衛生洗浄装置３の具体例については、図９に関して後述する。
【００２２】
キャビネット１８は、例えば便器２の後方などに、便器２と並べて設けられる。キャビネット１８の内部には、少なくとも一部が電力によって動作する装置（電動装置５００）が設けられる。この例では、電動装置５００は、排尿情報測定装置５を含む。排尿情報測定装置５は、使用者がボウル２２内に排出した尿の量や、尿流率（単位時間当たりの排泄尿量）などの排尿情報を測定する機能を有する。例えば、排尿情報測定装置５は、ボウル２２内の水位を測定することによって排尿情報を測定する。但し、電動装置５００は、排尿情報を測定する装置でなくてもよい。また、排尿情報の測定は、水位の測定に限られず、重量や体重差の測定などであってもよいし、尿中の特定成分濃度の測定などを含んでもよい。なお、排尿情報測定装置５の具体例については、図１０に関して後述する。
【００２３】
また、図１に示すように、トイレルームＴＲの壁面には、バーコード読取装置１０と、操作部１１と、が設置されている。操作部１１は、生体情報測定用のリモコン１２と、便器２用のリモコン１３と、衛生洗浄装置３用のリモコン１４と、を含む。
【００２４】
リモコン１２には、排尿情報の測定開始を指示する測定開始スイッチや、排尿が終了したことを指示する測定終了スイッチ等が設けられている。リモコン１３には、便器洗浄（ボウル２２の内容物の排出及びボウル２２内の洗浄）を指示する便器洗浄スイッチ１３ａなどが設けられている。リモコン１４には、局部洗浄を指示する「おしり」スイッチ１４ａや、局部洗浄の終了を指示する「止」スイッチ１４ｂなどが設けられている。
【００２５】
なお、この例では、リモコンには、電波通信が用いられており、各リモコンは、使用者が押したスイッチに応じた電波信号を発信する。通信に用いられる電波の周波数帯は、例えば、０．３ＧＨｚ〜３ＧＨｚ程度である。ただし、実施形態は、電波通信に限られず、赤外線通信や有線による通信を用いてもよい。  
また、トイレルームＴＲの壁面には、呼び出しスイッチ１５、手すり１７、紙巻器１９などが設けられる。
【００２６】
なお、本願明細書においては、平面視で、トイレルームＴＲに設置されたキャビネット１８からトイレルームＴＲの内部へ向かう方向を「前方」とし、その逆方向を「後方」とする。また、「前方」を向いたときの右側を「右側方」とし、「前方」を向いたときの左側を「左側方」とする。図１に示す例では、「前方」は、便座２００に座った使用者から見た前方に相当し、「後方」は、便座２００に座った使用者から見た後方に相当する。また、便座２００に座った使用者からみて上方を「上方」とし、便座２００に座った使用者からみて下方を「下方」とする。
【００２７】
図２は、実施形態に係るトイレ装置の一部を分解して例示する斜視図である。  
トイレ装置１は、便器部６０と、基板部５０と、をさらに有する。  
図２に示すように、便器部６０は、便器２の後部に設けられており、便器洗浄手段６１を有する。便器洗浄手段６１は、例えば便器洗浄バルブを有し、便器洗浄バルブが開くことによりボウル２２内に洗浄水を供給して便器洗浄を実施する。
【００２８】
基板部５０（アドオン基板部）は、キャビネット１８の内部に着脱可能に設けられる。衛生洗浄装置３、便器部６０、排尿情報測定装置５は、それぞれ、ケーブルＣ１、Ｃ２、Ｃ３により、基板部５０と接続される。基板部５０は、例えばＩＣ素子等を含む回路を有する。基板部５０は、衛生洗浄装置３、便器部６０及び排尿情報測定装置５のそれぞれの動作状態に関する信号を処理する。これにより、衛生洗浄装置３、便器部６０及び排尿情報測定装置５の動作を連携させることができる。なお、基板部５０の具体例については、図８に関して後述する。
【００２９】
また、図２に示すように、キャビネット１８は、天板７１、側板７２（右側板７２ａ及び左側板７２ｂ）、前板７３を有する。天板７１は、キャビネット１８の上面を覆う。天板７１は、キャビネット１８のフレーム８０（図３参照）に対して着脱可能である。右側板７２ａはキャビネット１８の右側面を、左側板７２ｂはキャビネット１８の左側面を覆う。前板７３は、キャビネット１８の前面を覆う。
【００３０】
図３は、実施形態に係るトイレ装置のキャビネット内の一部を例示する斜視図である。図３は、天板７１、側板７２及び前板７３が取り外された状態を示す。キャビネット１８は、天板７１、側板７２及び前板７３などが固定されるフレーム８０を有する。
【００３１】
フレーム８０は、上下方向に延在する柱部８１〜８４を有する。柱部８１及び柱部８２は、左右方向に並ぶ。柱部８３、柱部８４は、それぞれ、柱部８１、柱部８２の後方に位置する。
【００３２】
さらに、フレーム８０は、梁部８５、８６及び桟部８７を有する。梁部８５は、柱部８１及び柱部８２の上端に設けられ、柱部８１と柱部８２とを接続し、左右方向に延在する。梁部８６は、柱部８３及び柱部８４の上端に設けられ、柱部８３と柱部８４とを接続し、左右方向に延在する。桟部８７は、梁部８５の下方に設けられ、柱部８１と柱部８２とを接続し、左右方向に延在する。柱部８１〜８４、梁部８５、８６及び桟部８７のそれぞれは、断面略Ｌ字状である。排尿情報測定装置５は、フレーム８０に対して適宜固定される。
【００３３】
桟部８７には、基板部５０が収納されるケース部５０ｃが設けられている。基板部５０は、キャビネット１８内の前方に設けられている。また、例えば、図２に示すように、キャビネット１８の前板７３にはカバー板７３ｃが設けられる。カバー板７３ｃは、前板７３の一部に設けられた開口を覆い、キャビネット１８に対して着脱可能である。カバー板７３ｃを取り外すことにより、前方から基板部５０にアプローチすることができる。このように、基板部５０をキャビネット１８内の前方に設けることにより、メンテナンス性を向上させることができる。ただし、実施形態において、基板部５０は、キャビネット１８内の後方に設けられてもよい。
【００３４】
図３に示すように、トイレ装置１は、コネクタ５ｃと、膜部（カバーフィルム）９０とを有する。コネクタ５ｃは、キャビネット１８の内部の上方、より具体的には排尿情報測定装置５の上方に設けられる。外部の機器と接続されたケーブルは、例えば、キャビネット１８の後方からキャビネット１８内まで延びており、コネクタ５ｃと接続される。これにより、排尿情報測定装置５は、外部と電気的に接続される。排尿情報測定装置５と接続される外部の機器は、例えば、バーコード読取装置１０である。また、有線接続を用いて、リモコン１２と排尿情報測定装置５とを接続してもよい。バーコード読取装置１０は使用者の個人認証のために供されるものであり、排尿情報測定装置５で得られた情報と、図示しない医療機関の情報管理システムとの連携を自動で実施して、医療機関の業務効率化や治療精度の向上などを実施することが可能である。
【００３５】
既に述べた通り、フレーム８０の上に設けられる天板７１は、フレーム８０に対して着脱可能である。そして、コネクタ５ｃは、キャビネット１８の内部の上方に位置する。これにより、天板７１を取り外せば、管理者はコネクタ５ｃにアプローチすることができる。したがってメンテナンス性を向上させることができる。
【００３６】
なお、実施形態においては、天板７１の一部が着脱可能な構造が用いられてもよい。例えば、天板７１に開口が設けられ、その開口を覆う蓋が設けられる。蓋を取り外すことで、管理者はコネクタ５ｃにアプローチすることができる。
【００３７】
一方、このようなトイレ装置のキャビネットに、水が掛けられる場合が想定される。例えば、掃除の際に外部からキャビネットに水が掛けられたり、キャビネット上に花瓶等が置かれ、水が溢されたりすることが考えられる。外部から侵入した水がコネクタにまで至ると、トイレ装置に不具合が生じるおそれがある。
【００３８】
これに対して、実施形態においては、コネクタ５ｃを上方から覆う膜部９０が設けられる。これにより、キャビネット１８が被水し、着脱可能な天板７１の隙間から水がキャビネット内に侵入したとしても、コネクタ５ｃが被水することを抑制できる。
【００３９】
膜部９０の材料は、水を透過しないことが望ましく、例えばＰＥ（ポリエチレン）やＰＰ（ポリプロピレン）などの樹脂を用いることができる。また、膜部９０は、弾性又は可撓性を有することが望ましい。これにより、膜部９０を排尿情報測定装置５に被せる際の施工性が向上する。また、膜部９０は、透明であることが望ましい。これにより、管理者は、膜部９０を取り外さずにコネクタ５ｃやケーブルの状態を確認できる。なお、透明とは、完全な無色透明に限らず、例えば可視光に対する透過率が、可視光に対する吸収率又は反射率よりも高い状態である。透明という範囲は、半透明を含んでもよい。
【００４０】
図４は、実施形態に係るトイレ装置の膜部を例示する斜視図である。  
図４に示すように、膜部９０は、中央部９１と、側方部９２（右側方部９２ａ及び左側方部９２ｂ）と、を有する。中央部９１は、コネクタ５ｃ及び排尿情報測定装置５を上方から覆う部分である。右側方部９２ａは、中央部９１の右側から下方へ延びる部分であり、左側方部９２ｂは、中央部９１の左側から下方へ延びる部分である。すなわち、この例では、膜部９０は、排尿情報測定装置５の少なくとも一部の左側方及び右側方も覆う。これにより、排尿情報測定装置５の被水をより抑制することができる。
【００４１】
図５は、実施形態に係るトイレ装置の一部を例示する断面図である。  
図５は、図３に示すＡ−Ａ線における断面図に相当する。図５に示すように、膜部９０（中央部９１）は、後方に向かう下り傾斜を有する。具体的には、膜部９０の前端は、梁部８５の上に配置され、膜部９０の後端は、梁部８６の下に配置される。これにより、キャビネット１８の上部から水が浸入した場合、水は、膜部９０の上を後方に向かって流れる。この例では、基板部５０がキャビネット１８内の前側に設けられている。このため、水が後方へ流れることにより、基板部５０の被水を抑制することができる。
【００４２】
なお、基板部５０がキャビネット１８内の後側に設けられた場合は、膜部９０は、前方に向かう下り傾斜を有するように配置される。すなわち、基板部５０がキャビネット１８内の前側及び後側のいずれか一方に設けられた場合、膜部９０は、前側及び後側のいずれか他方に向かって下り傾斜するように配置される。これにより、キャビネット１８内に侵入した水は、基板部５０とは逆側に流れるため、基板部５０の被水を抑制することができる。
【００４３】
図６は、実施形態に係るトイレ装置の一部を例示する断面図である。  
図６は、図３に示すＢ−Ｂ線における断面図に相当する。図６に示すように、膜部９０の側方部９２は、キャビネット１８の側板７２に沿うように下方へ延びる。すなわち、例えば、右側方部９２ａの先端は、柱部８１及び右側板７２ａの少なくともいずれかに内側から接触する。また、左側方部９２ｂの先端は、柱部８２及び左側板７２ｂの少なくともいずれかに内側から接触する。
【００４４】
これにより、キャビネット１８の上部から侵入し膜部９０の上を流れた水は、膜部９０の側方部９２に導かれ、柱部８１、８２又は側板７２に到達し、柱部８１、８２又は側板７２を伝って下方へ流れる。したがって、水がキャビネット１８内の中央に向かって流れることを抑制できる。これにより、排尿情報測定装置５や基板部５０の被水を抑制することができる。
【００４５】
前述したように、膜部９０は、例えば弾性（又は可撓性）を有する。図６に示した状態では、膜部９０には、側方部９２が左右に広がろうとする弾性力が生じている。この弾性力により、側方部９２は、柱部等に接触した状態を維持することができる。弾性力を利用することで、固定部材などを別途設けずに、簡易に膜部９０を所定位置に配置することができる。
【００４６】
この例では、右側方部９２ａの先端は、柱部８１と桟部８７とが交わる部分に配置されているが、図６に二点鎖線で示す９２ｅように、膜部９０を桟部８７よりも下方まで延ばしてもよい。これにより、桟部８７に対して設けられた基板部５０の被水をより抑制することができる。例えば、膜部９０は、柱部８１と桟部８７との間の隙間を通るように配置される。
【００４７】
図７（ａ）は、天板７１の斜視図である。図７（ｂ）は、天板７１の近傍を示すキャビネット１８の断面図である。  
図７（ａ）及び図７（ｂ）に示すように、天板７１の後部の下面には、フレーム８０の梁部８６に沿って延在するパッキン７１ｐが設けられる。パッキン７１ｐは、天板７１と梁部８６との間を塞ぐ。これにより、天板７１と梁部８６との間からキャビネット１８内に水が浸入することを抑制できる。パッキン７１ｐの材料には、例えば、ゴムや樹脂を用いることができる。
【００４８】
なお、キャビネット１８の側板７２とフレーム８０との間にもパッキンを設けてもよい。例えば、右側板７２ａと柱部８１との間、右側板７２ａと柱部８３との間、左側板７２ｂと柱部８２との間、および、左側板７２ｂと柱部８４との間にパッキンが設けられる。
【００４９】
また、天板７１は、上板部７１ａと屈曲部７１ｂとを有する。上板部７１ａは、水平方向に広がる平板状である。屈曲部７１ｂは、天板７１の前端に設けられ上板部７１ａから下方へ向かって屈曲した部分であり、左右に延在する。
【００５０】
図７（ｂ）に示すように、天板７１がフレームに取り付けられた状態において、屈曲部７１ｂは、梁部８５及び前板７３の上端部よりも前方に位置する。これにより、天板７１の上に水が掛けられたり溢されたりしても、天板７１と梁部８５との間の隙間からキャビネット１８内に水が浸入することを抑制できる。
【００５１】
次に、図８〜図１０を参照して、基板部５０、衛生洗浄装置３、排尿情報測定装置５などの一例について説明する。  
図８は、実施形態に係るトイレ装置を例示するブロック図である。  
衛生洗浄装置３は、洗浄手段制御部４０５と、衛生洗浄手段４０６と、を有する。衛生洗浄手段４０６は、例えば、使用者の局部に向けて洗浄水を吐出するノズルや、ノズルを動作させるモータ、洗浄水の流路や流量を調整する電磁弁などを有する。洗浄手段制御部４０５は、例えばＩＣ素子を含んだ回路であり、衛生洗浄手段４０６の動作を制御する。
【００５２】
排尿情報測定装置５は、測定手段制御部５４と、排尿情報測定手段５５と、を有する。排尿情報測定手段５５は、例えば、ボウル２２内の水位を測定するセンサや水位を設定するポンプなどを有する。測定手段制御部５４は、例えばＩＣ素子を含んだ回路であり、排尿情報測定手段５５の動作を制御する。
【００５３】
基板部５０は、電波受信部５１と、情報連携部５２（ロジック基板）と、便器洗浄制御部５３（便器洗浄基板）と、を有する。情報連携部５２及び便器洗浄制御部５３は、それぞれ、例えばＩＣ素子を含む回路である。電波受信部５１は、例えばアンテナ基板であり、図１に関して前述したリモコン１２〜１４から電波信号を受信する。電波受信部５１は、受信した電波信号に基づき、リモコンからの指示に関する信号を情報連携部５２に送信する。
【００５４】
情報連携部５２は、洗浄手段制御部４０５、便器洗浄制御部５３及び測定手段制御部５４に、リモコンからの指示に関する信号を適宜送信する。  
洗浄手段制御部４０５は、情報連携部５２から取得した信号に基づいて、衛生洗浄手段４０６の動作を制御する。また、測定手段制御部５４は、情報連携部５２から取得した信号に基づいて、排尿情報測定手段５５の動作を制御する。また、便器洗浄制御部５３は、情報連携部５２から取得した信号に基づいて、便器洗浄手段６１の動作を制御して便器洗浄を実施する。
【００５５】
また、情報連携部５２は、洗浄手段制御部４０５から衛生洗浄装置３の動作状態に関する信号を取得し、便器洗浄制御部５３から便器洗浄手段６１の動作状態に関する信号を取得する。  
なお、衛生洗浄装置３の動作状態に関する信号とは、衛生洗浄装置３が局部洗浄を行っているかどうかを示す情報（例えば、ノズルへの洗浄水の供給を制御する電磁弁の開閉状態を示す情報等）を含む。便器洗浄手段６１の動作状態に関する信号とは、便器洗浄手段６１が便器洗浄を行っているかどうかを示す情報（例えば、ボウル２２への洗浄水の供給を制御する便器洗浄バルブの開閉状態を示す情報等）を含む。
【００５６】
排尿情報を測定する際に、衛生洗浄装置３や便器洗浄手段６１が動作すると、測定精度が低下する恐れがある。例えば、排尿情報測定装置５がボウル２２内の水位の変化によって尿量を測定する場合、衛生洗浄装置３や便器洗浄手段６１によってボウル２２内に洗浄水が供給されると、ボウル２２内の水位は洗浄水によっても変化してしまう。
【００５７】
これに対して、実施形態に係る排尿情報測定装置５の測定手段制御部５４は、衛生洗浄装置３の動作状態に関する情報及び便器洗浄手段６１の動作状態に関する情報を、情報連携部５２から取得する。測定手段制御部５４は、情報連携部５２から取得した情報（動作情報）に基づいて、排尿情報の測定を制御する。これにより、排尿情報測定装置５は、衛生洗浄装置３及び便器洗浄手段６１の動作を考慮し、その動作と連携して動作することができる。例えば、測定手段制御部５４は、局部洗浄が行われているとき及び便器洗浄が行われているときには、排尿情報の測定を行わないと判断する。これにより、測定精度の低下を防ぐことができる。
【００５８】
また、例えば、測定手段制御部５４は、局部洗浄が開始されたとき及び便器洗浄が開始されたときに、排尿情報の測定を中止する。このように実施形態に係るトイレ装置１においては、通常のトイレとしての機能（便器洗浄や局部洗浄）を優先させることができる。これにより、使い勝手を向上させることができる。例えば、排尿情報を測定する際に、使用者がリモコン１２の測定終了スイッチを押し忘れたとしても、便器洗浄スイッチ１３ａを操作すれば、排尿情報の測定を終了させることができる。また、排尿情報の測定を中止することで、図１０に関して後述する水位測定管３６に、便器洗浄時の水が流れ込むことを抑制できるため、水位センサ３８等の精密器具が故障することを予防できる。なお、この場合に測定手段制御部５４は、排尿情報測定装置５の動作状態を情報連携部５２へ送信しなくてもよい。例えば、図３等に関して説明したコネクタ５ｃを用いて、リモコン１２と排尿情報測定装置５（測定手段制御部５４）とを有線で接続してもよい。この場合、測定手段制御部５４は、情報連携部５２を介さずにリモコン１２から信号を取得し、この信号に基づいて、排尿情報測定手段５５の動作を制御する。有線と無線を両立して情報伝達を実施することが推奨される。生体情報測定結果と衛生洗浄装置の操作信号では、要求される信頼性に差があるものであり、それを鑑みた接続方法を採用すればよい。
【００５９】
この例では、電波受信部５１、情報連携部５２及び便器洗浄制御部５３は、それぞれ異なる基板上に別体として設けられた回路であり、基板部５０として１つのユニットとされている。また、基板部５０は、衛生洗浄装置３及び排尿情報測定装置５とは別体であり着脱可能である。但し、電波受信部５１、情報連携部５２及び便器洗浄制御部５３の少なくとも一部を１つの基板上に統合してもよいし、さらに複数の基板上に分割してもよい。また、電波受信部５１、情報連携部５２及び便器洗浄制御部５３を１つのユニットとせずに、別々に設けてもよい。例えば、便器部６０が便器洗浄制御部５３を含んでもよい。
【００６０】
図９は、衛生洗浄装置を例示するブロック図である。なお、図９は、水路系と電気系の要部構成を併せて表している。  
例えば、衛生洗浄装置３には、使用者が便座２００に座ったことを検知する着座検知センサ（人体検知手段）４０４が設けられている。着座検知センサ４０４が便座２００に座った使用者を検知している場合において、使用者が例えばリモコン１４などの操作部を操作すると、ノズル（洗浄ノズル）４７３を便器２のボウル２２内に進出させることができる。なお、図１では、ノズル４７３がボウル２２内に進出した状態を表している。
【００６１】
ノズル４７３の先端部には、ひとつあるいは複数の吐水口４７４（図１参照）が設けられている。そして、ノズル４７３は、その吐水口４７４から水を噴射して、便座２００に座った使用者の「おしり」などを洗浄することができる。
【００６２】
より具体的に説明すると、衛生洗浄装置３は、図９に表したように、水道や貯水タンクなどの給水源８から供給された水をノズル４７３の吐水口４７４に導く流路２０を有する。流路２０の上流側には、電磁弁４３１が設けられている。電磁弁４３１は、開閉可能な電磁バルブであり、洗浄手段制御部４０５からの指令に基づいて水の供給を制御する。
【００６３】
電磁弁４３１の下流には、温水ヒータ４４１が設けられている。温水ヒータ４４１は、供給された水を加熱し、所定の温水にする。
【００６４】
温水ヒータ４４１の下流には、機能水（殺菌水）を生成可能な機能水生成手段が設けられる。この例では、機能水生成手段として、電解槽ユニット４５０が設けられている。電解槽ユニット４５０は、水道水を電気分解して、次亜塩素酸を含む液に変化させる。
【００６５】
電解槽ユニット４５０の下流には、水勢（流量）の調整を行う流量切替弁４７１と、ノズル４７３やノズル洗浄室４７８への給水の開閉や切替を行う流路切替弁４７２と、が設けられている。ノズル洗浄室４７８は、ノズルの後方に配置される部材であり、その内部に設けられた吐水部から洗浄水（機能水や水）を噴射することにより、ノズル４７３の外周表面（胴体）を殺菌あるいは洗浄する。なお、流量切替弁４７１および流路切替弁４７２は、１つのユニットとして設けられていてもよい。流量切替弁４７１および流路切替弁４７２の下流には、ノズル４７３が設けられている。
【００６６】
ノズル４７３は、ノズルモータ４７６からの駆動力を受け、便器２のボウル２２内に進出したり後退することができる。つまり、ノズルモータ４７６は、洗浄手段制御部４０５からの指令に基づいてノズル４７３を進退させることができる。  
そして、洗浄手段制御部４０５は、電源回路４０１から電力を供給され、トイレ室への使用者の入室を検知する入室検知センサ（人体検知手段）４０２や、便座２００の前方にいる使用者を検知する人体検知センサ（人体検知手段）４０３や、便座２００への使用者の着座を検知する着座検知センサ４０４や、操作部１１などからの指示に基づいて、電磁弁４３１や、温水ヒータ４４１や、電解槽ユニット４５０や、流量切替弁４７１や流路切替弁４７２や、ノズルモータ４７６の動作を制御することができる。
【００６７】
着座検知センサ４０４は、便座２００に着座した使用者を検知することができる。人体検知センサ４０３は、便器２の前方にいる使用者を検知することができる。着座検知センサ４０４及び人体検知センサ４０３には、例えば、赤外線投受光式の測距センサなどを用いることができる。入室検知センサ４０２は、トイレ室のドアを開けて入室した直後の使用者等を検知することができる。入室検知センサ４０２には、例えば、焦電センサやマイクロ波センサなどを用いることができる。
【００６８】
情報連携部５２が取得する、衛生洗浄装置３の動作状態に関する信号は、例えば、電磁弁４３１の開閉状態を示す情報を含む。衛生洗浄装置３の動作状態に関する信号は、温水ヒータ４４１、電解槽ユニット４５０、流量切替弁４７１、流路切替弁４７２、ノズルモータ４７６の動作状態や、人体検知手段の検知結果を示す情報を含んでもよい。
【００６９】
図１０は、排尿情報測定装置及び便器を例示するブロック図である。なお、図１０は、水路系と電気系との要部構成を併せて表している。  
トイレ装置１は、ボウル２２と排尿情報測定装置５とを連通する連通管９を有する。
【００７０】
ボウル２２内には、建物の排水配管２３内部で発生した悪臭や衛生害虫などが、トイレルームＴＲ内に侵入することを防止するための、溜水２１が形成されている。ボウル２２内における使用者が排泄した排泄物混じりの溜水２１は、便器洗浄により、排水配管２３へ排出されるようになっている。
【００７１】
また、便器２は、トラップ部２５を有している。トラップ部２５は、ボウル２２及び建物の排水配管２３と連通している。また、便器２には、リム吐水孔２４及びジェット吐水孔２６が設けられている。ボウル２２内部を洗浄する際には、まず、リモコン１３に設けられた便器洗浄スイッチ１３ａを押す。すると、便器洗浄制御部５３は、リモコン１３からの指示に応じて、水道管からの水をリム吐水孔２４及びジェット吐水孔２６を通じて便器２内へ吐出させる。ジェット吐水孔２６から水が吐水されると、トラップ部２５に水が満たされる。トラップ部２５に水が満たされると、トラップ部２５において、サイフォン現象が発生する。このサイフォン現象によって、排水配管２３側に負圧が発生する。その結果、ボウル２２内の溜水２１は、排水配管２３へ排出される。
【００７２】
排尿情報測定装置５は、補水タンク２８と、第１フロートスイッチ２９と、第２フロートスイッチ３１と、補水ポンプ３０と、排水トラップ３２と、気圧センサ３４と、水位測定管３６と、水位センサ３８と、検量ポンプ４０と、開閉弁４２と、手動ボール弁４４と、を有している。なお、開閉弁４２は、第１開閉弁４２ａ、第２開閉弁４２ｂ、第３開閉弁４２ｃ、第４開閉弁４２ｄ、及び、第５開閉弁４２ｅを有し、それぞれ電力によって動作する電磁弁である。第２開閉弁４２ｂ、第３開閉弁４２ｃ、第４開閉弁４２ｄ、及び、第５開閉弁４２ｅは、連通管９内に設置されており、連通管９内の流路を開閉する。第１開閉弁４２ａを開状態にすると、水道管から補水タンク２８へ水を補給することができる。手動ボール弁４４、第２開閉弁４２ｂ及び第３開閉弁４２ｃを開状態にすると、ボウル２２内の溜水２１の水位と水位測定管３６内の水の水位とが、同じになる。水位センサ３８は、水位測定管３６内の水の圧力（水頭圧）を計測し、その圧力を、圧力の大きさに応じた電圧値に変換して、測定手段制御部５４に出力する。
【００７３】
補水タンク２８は、排水トラップ３２の上方に設置されている。補水タンク２８内に一定量の水が供給されると、排水トラップ３２が有するオーバーフロー管３２ａへ水が排出される。オーバーフロー管３２ａへ排出された水は、オーバーフロー管３２ａ内を通って、排水トラップ３２内に供給される。排水トラップ３２は、便器２のトラップ部２５より下流側に設けられた建物の排水配管２３と連通している。排水トラップ３２内に一定量の水が供給されると、排水配管２３内へ水が排出される。
【００７４】
第１フロートスイッチ２９は、補水タンク２８内、且つ、補水タンク２８の上端に設置されている。第２フロートスイッチ３１は、補水タンク２８内、且つ、第１フロートスイッチ２９より下方に設置されている。第１フロートスイッチ２９が水を検出すると、測定手段制御部５４は、第１開閉弁４２ａを閉状態にする。第２フロートスイッチ３１が水を検出しなくなると、測定手段制御部５４は、第１開閉弁４２ａを開状態にする。
【００７５】
トイレ装置１の施工者は、手動ボール弁４４を閉状態に操作することによって、便器２と排尿情報測定装置５との接続を解除することができる。
【００７６】
次に、トイレ装置１による排尿情報の測定方法について説明する。  
なお、手動ボール弁４４は、常に開状態であるものとする。  
衛生洗浄装置に設けられた人体検知手段がトイレルームＴＲに入室した入室者を検知していない状態（待機状態）において、水位測定管３６内の水の水位は、ボウル２２内の溜水２１の水位である測定開始水位Ａより、高い。例えば、待機状態において、水位測定管３６内は、略満水状態である。なお、測定開始水位Ａは、破封水位Ｌより高く、溢流水位Ｈより低い。
【００７７】
測定手段制御部５４は、後に詳述する測定開始信号を受信する前に、第２開閉弁４２ｂ及び第３開閉弁４２ｃを開状態にする。例えば、測定手段制御部５４は、人体検知手段がトイレルームＴＲに入室した入室者を検知すると、第２開閉弁４２ｂ及び第３開閉弁４２ｃを開状態にする。
【００７８】
第２開閉弁４２ｂ及び第３開閉弁４２ｃが開状態になると、水位測定管３６内の水の水位は、ボウル２２内の溜水２１の水位と同じになる。第２開閉弁４２ｂ及び第３開閉弁４２ｃが開状態となってから、例えば１秒後、測定手段制御部５４は、第２開閉弁４２ｂ及び第３開閉弁４２ｃを閉状態にする。
【００７９】
入室者が、例えば、入室者自身が持っているバーコードタグをバーコード読取装置１０に翳すことで、バーコード読取装置１０は、排尿情報の測定開始信号を送信する。なお、例えば、バーコードタグには、入室者自身のパーソナルデータが読み取れるバーコードが記載させている。測定手段制御部５４は、人体検知手段が入室者を検知してから、例えば１０分間に、測定開始信号を受信すると、第２開閉弁４２ｂ及び第３開閉弁４２ｃを、再び開状態にする。人体検知手段が入室者を検知してから、例えば１０分間、測定手段制御部５４が測定開始信号を受信しなかった場合、排尿情報測定装置５は待機状態に戻る。
【００８０】
測定開始信号の受信の後、排尿情報測定装置５が測定可能状態となると、リモコン１２に設けられている液晶画面に、「排尿してください」と表示される。このとき、入室者、即ち被験者は、液晶画面に表示された「排尿してください」との文字を視認することによって、排尿動作を開始する。
【００８１】
被験者の排尿動作が終了すると、ボウル２２内の溜水２１の水位は、測定開始水位Ａから排尿後水位Ｃまで上昇する。即ち、ボウル２２内の溜水２１の水位、及び、水位測定管３６内の水の水位は、排尿後水位Ｃとなる。被験者は、リモコン１２に設けられた測定終了スイッチを押すことで、測定手段制御部５４に測定の終了を指示することができる。あるいは、被験者は、バーコードをバーコード読取装置１０に翳すことで、測定手段制御部５４に測定の終了を指示することができる。あるいは、使用者が便器洗浄スイッチ１３ａを押すことで、測定手段制御部５４に測定の終了を指示することができる。
【００８２】
測定手段制御部５４が測定終了信号を受信すると、測定手段制御部５４の指示によって、水位センサ３８は、水位測定管３６内の水の水圧によって測定された電圧値を測定手段制御部５４へ出力する。測定手段制御部５４は、入力された電圧値を、予め算出していたボウル２２の水位に対する水量の関係式に当てはめることで、ボウル２２内の上昇水量、即ち被験者の尿量を算出する。
【００８３】
測定手段制御部５４は、被験者の尿量だけでなく、例えば、排尿時間（秒）、最大尿流率（ｍＬ／秒）、平均尿流率（ｍＬ／秒）、最大尿流率到達時間（秒）、ためらい時間（秒）、などの排尿情報を算出する。排尿時間とは、ボウル２２内への尿の排出が開始してから、ボウル２２内への尿の排出が終了するまでの時間である。最大尿流率とは、単位時間当たりの尿量、即ち排尿速度である尿流率が最大であったときの値である。平均尿流率とは、尿流率の平均値である。最大尿流率到達時間とは、排尿が開始されてから、尿流率の値が最大尿流率の値になるまでの時間である。ためらい時間とは、液晶画面に「排尿してください」と表示されてから、排尿が開始されるまでの時間である。
【００８４】
測定手段制御部５４による排尿情報の算出が終了すると、測定手段制御部５４は、第２開閉弁４２ｂ及び第３開閉弁４２ｃを閉状態にする。そして、便器洗浄制御部５３は、水道管からの水をリム吐水孔２４及びジェット吐水孔２６を通じて便器２内へ吐出させる。その結果、上述したサイフォン現象によって、ボウル２２内部が洗浄される。
【００８５】
ボウル２２内の排出動作が終了すると、便器２の図示しない給水手段は、リム吐水孔２４からの給水によって、破封水位Ｌと測定開始水位Ａとの間の水位まで粗調整のための給水を実施する。次いで、測定手段制御部５４は、第１開閉弁４２ａ、第２開閉弁４２ｂ、及び、第５開閉弁４２ｅを開状態にする。また、測定手段制御部５４は、補水ポンプ３０を駆動させる。補水ポンプ３０の駆動によって送水される補水タンク２８内の水によって、ボウル２２内の溜水２１の水位を測定開始水位Ａにする。次に、第３開閉弁４２ｃを開状態にし、第２開閉弁４２ｂを閉状態にする。補水ポンプ３０の駆動によって送水される補水タンク２８内の水によって、水位測定管３６内を洗浄する。また、補水ポンプ３０の駆動によって送水される補水タンク２８内の水によって、水位測定管３６内を略満水状態にする。水位測定管３６内が略満水状態となったとき、測定手段制御部５４は、補水ポンプ３０の駆動を停止させる。また、測定手段制御部５４は、第１開閉弁４２ａ、第３開閉弁４２ｃ、及び、第５開閉弁４２ｅを閉状態にする。その後、排尿情報測定装置５は待機状態に戻る。
【００８６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８７】
１ トイレ装置、  ２ 便器、  ３ 衛生洗浄装置、  ５ 排尿情報測定装置、  ５ｃ コネクタ、  ８ 給水源、  ９ 連通管、  １０ バーコード読取装置、  １１ 操作部、  １２〜１４ リモコン、  １３ａ 便器洗浄スイッチ、  １４ａ 「おしり」スイッチ、  １４ｂ 「止」スイッチ、  １５ 呼び出しスイッチ、  １８ キャビネット、  １９ 紙巻器、  ２０ 流路、  ２１ 溜水、  ２２ ボウル、  ２３ 排水配管、  ２４ リム吐水孔、  ２５ トラップ部、  ２６ ジェット吐水孔、  ２８ 補水タンク、  ２９ フロートスイッチ、  ３０ 補水ポンプ、  ３１ フロートスイッチ、  ３２ 排水トラップ、  ３２ａ オーバーフロー管、  ３４ 気圧センサ、  ３６ 水位測定管、  ３８ 水位センサ、  ４０ 検量ポンプ、  ４２ 開閉弁、  ４４ 手動ボール弁、  ５０ 基板部、  ５０ｃ ケース部、  ５１ 電波受信部、  ５２ 情報連携部、  ５３ 便器洗浄制御部、  ５４ 測定手段制御部、  ５５ 排尿情報測定手段、  ６０ 便器部、  ６１ 便器洗浄手段、  ７１ 天板、  ７１ａ 上板部、  ７１ｂ 屈曲部、  ７１ｐ パッキン、  ７２ 側板、  ７３ 前板、  ７３ｃ カバー板、  ８０ フレーム、  ８１〜８４ 柱部、  ８５、８６ 梁部、  ８７ 桟部、  ９０ 膜部、  ９１ 中央部、  ９２ 側方部、  ２００ 便座、  ２０１ 便蓋、  ４００ ケーシング、  ４０１ 電源回路、  ４０２ 入室検知センサ、  ４０３ 人体検知センサ、  ４０４ 着座検知センサ、  ４０５ 洗浄手段制御部、  ４０６ 衛生洗浄手段、  ４３１ 電磁弁、  ４４１ 温水ヒータ、  ４５０ 電解槽ユニット、  ４７１ 流量切替弁、  ４７２ 流路切替弁、  ４７３ ノズル、  ４７４ 吐水口、  ４７６ ノズルモータ、  ４７８ ノズル洗浄室、  ５００ 電動装置
【図１】
2018155034.tif 000003
【図２】
2018155034.tif 000004
【図３】
2018155034.tif 000005
【図４】
2018155034.tif 000006
【図５】
2018155034.tif 000007
【図６】
2018155034.tif 000008
【図７】
2018155034.tif 000009
【図８】
2018155034.tif 000010
【図９】
2018155034.tif 000011
【図１０】
2018155034.tif 000012